(57)【要約】【課題】釘の疲労破壊を抑制することができるようにした耐久性に優れたパチンコ機の遊技盤を提供することである。【解決手段】合成樹脂からなる遊技板１２の前面にガイドレール１３を取付け、そのガイドレール１３に囲まれた内側の遊技領域１１に打ち付けられた多数の釘１４のうち、遊技球Ｂとの衝突によって疲労破壊し易い釘１４の周囲に半円弧状の長孔からなる貫通孔２１を対称位置に形成して、貫通孔２１と釘１４との間に薄肉厚の柱部２２を形成する。遊技球が釘１４に衝突した際の衝撃力により柱部２２を弾性変形させ、その変形により衝撃力を吸収して釘１４が疲労により破損するのを防止する。【選択図】図３
2010029456.tif 000002
【特許請求の範囲】
【請求項１】
合成樹脂からなる遊技板の前面にガイドレールを取付け、そのガイドレールに囲まれた内側が遊技領域とされ、その遊技領域に発射装置から発射された遊技球の落下方向を分散、調整する多数の釘を植設したパチンコ機の遊技盤において、
前記遊技板の前面に植設された釘の周囲に、遊技板の前面から後面に貫通してその釘との間に弾性変形可能な薄肉厚部を形成する貫通孔を設けたことを特徴とするパチンコ機の遊技盤。
【請求項２】
前記貫通孔が、釘を中心とする半円弧状の長孔からなる請求項１に記載のパチンコ機の遊技盤。
【請求項３】
前記貫通孔が二つとされ、その二つの貫通孔が釘を対称点として対称位置に形成された請求項１又は２記載のパチンコ機の遊技盤。
【請求項４】
前記貫通孔が、釘を中心とするＣ字状の長孔からなるパチンコ機の遊技盤。
【発明の詳細な説明】
【技術分野】
【０００１】
この発明は、パチンコ機の遊技盤に関し、特に合成樹脂により成形された遊技盤に関する。
【背景技術】
【０００２】
一般に、パチンコ機においては、外枠の一側部により中枠の一側部を軸支して開閉可能に支持し、その中枠の前面を覆うガラス枠等の前面枠の一側部を上記中枠で軸支して開閉可能とし、上記中枠に遊技盤を取付けるようにしている。
【０００３】
遊技盤は、遊技板を有し、その遊技板の前面にガイドレールを取付け、そのガイドレールの内側に形成された遊技領域に、遊技球の落下方向を分散、調整するための多数の釘や風車、液晶表示器、始動入賞装置、特別可変入賞装置等の各種の遊技部品を取付けている。
【０００４】
ここで、遊技盤における遊技板として、特許文献１あるいは特許文献２に記載されているように、ポリメチルメタクリレート（ＰＭＭＡ）等のアクリル樹脂やＡＢＳ樹脂等の合成樹脂からなるものが知られている。この合成樹脂製の遊技板においては、強度を得るために厚さを厚くすると、成形の際に多量の樹脂を必要とし、また、遊技板が重くなって取り扱いが困難となる。
【０００５】
そのため、合成樹脂製の遊技板においては、可及的に厚さを薄くし、あるいは、内部に発泡部を形成して軽量化を図り、後面にはボス部を成形し、そのボス部に遊技板の前面で開口する下孔を形成し、その下孔に釘を打ち付けて釘の支持の安定化を図るようにしている。
【０００６】
【特許文献１】特開平１１−９９２４４号公報
【特許文献２】特開平１１−１５１３５０号公報
【発明の開示】
【発明が解決しようとする課題】
【０００７】
ところで、合成樹脂製の遊技板においては、ベニヤ合板からなる木製の遊技板に比較して硬度が高く、遊技球が釘に衝突した際の衝撃吸収性が低いため、釘が疲労破壊し易い。特に、盤面の中央上部に打ち付けられた天釘と称される複数の釘や球止めゴムの周囲に打ち付けられた釘、始動入賞装置の上部に打ち付けられた命釘と称される２本の釘、その命釘の両サイドに位置するジャンプ釘と称される釘には遊技球が繰り返し衝突するため、疲労が蓄積されて疲労破壊し易い。
【０００８】
この発明の課題は、釘の疲労破壊を抑制することができるようにした耐久性に優れたパチンコ機の遊技盤を提供することである。
【課題を解決するための手段】
【０００９】
上記の課題を解決するために、この発明においては、合成樹脂からなる遊技板の前面にガイドレールを取付け、そのガイドレールに囲まれた内側が遊技領域とされ、その遊技領域に発射装置から発射された遊技球の落下方向を分散、調整する多数の釘を植設したパチンコ機の遊技盤において、前記遊技板の前面に植設された釘の周囲に、遊技板の前面から後面に貫通してその釘との間に弾性変形可能な薄肉厚部を形成する貫通孔を設けた構成を採用したのである。
【００１０】
ここで、凹部は多数の釘の全てを対象に形成してもよく、あるいは、遊技球が頻繁に衝突して疲労破壊し易い釘、例えば、盤面の中央上部に打込まれた天釘と称される複数の釘（以下、天釘という）やガイドレールによって案内される遊技球を衝突させて減勢する球止めゴムの周囲の釘、始動入賞装置の上部に打ち込まれた命釘と称される２本の釘（以下、命釘という）、その命釘の両サイドに位置するジャンプ釘と称される釘（以下、ジャンプ釘という）等を対象に形成してもよい。
【００１１】
上記のように、釘の周囲に、その釘との間に薄肉厚部を形成する貫通孔を設けると、釘に対する遊技球の衝突時、上記薄肉厚部が弾性変形する。その弾性変形によって衝突時の衝撃力が吸収され、釘が疲労破壊するのを抑制することができる。
【００１２】
ここで、貫通孔の形状は任意である。釘を中心とする半円弧状の長孔を貫通孔とし、その貫通孔を釘を対称点とする対称位置に設けると、貫通孔間に釘を保持する両持ち支持の弾性変形が容易な薄肉厚部としての柱部が形成されるため、遊技球が釘に衝突した際の衝撃力をより効果的に吸収することができる。
【００１３】
また、釘を中心とするＣ字状の長孔を貫通孔とすると、その貫通孔の内側に釘を保持する片持ち支持の弾性変形が容易な薄肉厚部としての柱部が形成される。この片持ち支持の柱部は両持ち支持の柱部より弾性変形し易いため、遊技球が釘に衝突した際の衝撃力をより効果的に吸収することができる。
【発明の効果】
【００１４】
上記のように、この発明に係るパチンコ機の遊技盤においては、釘の周囲に、
その釘との間で薄肉厚部を形成する貫通孔を設けたことにより、遊技球が釘に衝突した際の衝撃力を上記薄肉厚部の弾性変形により吸収することができ、釘の疲労破壊を抑制し、耐久性の向上を図ることができる。
【発明を実施するための最良の形態】
【００１５】
以下、この発明の実施の形態を図面に基づいて説明する。図１に示すように、パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００１６】
中枠３の表側には、上皿５を有する前面枠４が設けられている。前面枠４は、その一側部が中枠３に軸支されて開閉自在とされ、閉鎖状態において中枠３の前面を覆うようになっており、その前面枠４の下側に下皿７を有する皿板６が設けられている。ここで、前面枠４は、ガラス板の周囲に縁枠を設けたものであってもよく、あるいは、アクリル樹脂板の周囲に縁枠を設けたものであってもよい。
【００１７】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に支持された図２に示す遊技盤１０の遊技領域１１に発射されるようになっている。
【００１８】
遊技盤１０は、アクリル樹脂やＡＢＳ樹脂等の合成樹脂からなる遊技板１２を有し、その遊技板１２の前面に取付けられたガイドレール１３の内側が遊技領域１１とされている。遊技領域１１には、遊技球の落下方向を分散、調整するための多数の釘１４や風車１５、液晶表示器１６、始動入賞装置１７、特別可変入賞装置１８等の遊技部品が取付けられている。また、上記液晶表示器１６を囲むようにしてセンタ飾り１９が設けられている。
【００１９】
ここで、遊技領域１１に発射された遊技球が、その遊技領域１１に落下して始動入賞装置１７に入賞すると、液晶表示器１６の表示画面に特別図柄の変動表示が所定時間行われ、複数の特別図柄が特定の停止表示態様で停止表示されると、大当たり遊技状態が発生し、特別可変入賞装置１８の入口を塞いでいた扉１８ａが予め定められた作動条件に従って開閉するようになっている。
【００２０】
センタ飾り１９として、ここでは、ガイドレール１３との間に通路２０を形成する左右非対象のものが示されている。このようなパチンコ機での遊技に際して、通路２０に遊技球が打ち込まれると、始動入賞装置１７に入賞する確率が低いため、遊技者は、普通、図３の矢印で示すように、通路２０の入口に設けられた釘１４ａやセンタ飾り１９の中央上部に設けられた２本の天釘１４ｂに遊技球Ｂが衝突するようハンドル調整し、センタ飾り１９の左側の遊技領域１１に遊技球を落下させて始動入賞装置１７に入賞させる打ち込み方法を採用するのが一般的である。
【００２１】
このため、通路２０の入口に設けられた釘１４ａや２本の天釘１４ｂ、あるいは、その周辺の釘１４は遊技球Ｂとの衝突によって疲労が蓄積し、破損し易い。
【００２２】
また、始動入賞装置１７の上方には、図４に示すように、２本の命釘１４ｃが設けられ、その命釘１４ｃの両サイドにジャンプ釘１４ｄが設けられ、これらの各釘１４ｃ、１４ｄは、風車１５の右下から上記ジャンプ釘１４ｄまで連続して並ぶ道釘１４ｅと異なって遊技球Ｂが衝突した際の衝撃力を単独で受けるため、疲労によって破損し易い。
【００２３】
上記のような疲労破壊し易い釘１４ａ乃至ｄを対象にして、図３乃至図６に示すように、遊技板１２には上記各種の釘１４ａ乃至ｄの周囲に遊技板１２の前面から後面に貫通する衝撃吸収用の貫通孔２１が形成されている。
【００２４】
貫通孔２１は、各種釘１４ａ乃至ｄのそれぞれを曲率の中心とする円弧状の長孔からなっている。この円弧状の長孔からなる貫通孔２１は、各種の釘１４ａ乃至ｄのそれぞれを対称点として対称位置に設けられ、その対称配置の一対の貫通孔２１間に釘１４ａ乃至ｄを保持する両持ち支持の弾性変形が容易な薄肉厚部としての柱部２２が形成される。
【００２５】
上記のように、貫通孔２１の形成によって薄肉厚部としての柱部２２を設けることによって、各種の釘１４ａ乃至ｄに遊技球Ｂが衝突すると、その衝突時の衝撃力によって柱部２２が弾性変形し、その変形により衝撃力が吸収される。
【００２６】
このため、各種の釘１４ａ乃至ｄは疲労破壊することは少なく、耐久性の低下を抑制することができる。
【００２７】
ここで、各種の釘１４ａ乃至ｄに対する遊技球の衝突方向は予め想定されるため、対称配置の貫通孔２１は、遊技球の衝突方向に並んで設けるのが好ましい。
【００２８】
図３乃至図６では、一対の貫通孔２１を対称位置に設けるようにしたが、図７に示すように、釘１４ｂの片側周囲に一つの貫通孔２１を形成し、その貫通孔２１と釘１４ｂとの間に薄肉厚部２３を形成し、その薄肉厚部２３の弾性変形により遊技球Ｂが釘１４ｂに衝突した際の衝撃力を緩衝するようにしてもよい。
【００２９】
図８に示すように、釘１４ｂを中心とするＣ字状の長孔を貫通孔２１すると、その貫通孔２１の内側に釘１４ｂを保持する片持ち支持の弾性変形が容易な薄肉厚部としての柱部２４が形成される。この片持ち支持の柱部２４は図３乃至図６に示す両持ち支持の柱部２２より弾性変形し易いため、遊技球Ｂが釘１４ｂに衝突した際の衝撃力をより効果的に吸収することができる。
【００３０】
図５に示すように、遊技板１２に円弧状の長孔あるいはＣ字状の長孔からなる貫通孔２１を設ける場合は、貫通孔２１の外壁面の半径ｒ１が遊技球Ｂの半径ｒ２と釘１４ｂの半径ｄ１を加えた値以下（ｒ１≦ｒ２＋ｄ１）となるようにしておく。
【００３１】
貫通孔２１と遊技球Ｂおよび釘１４ｂの相互間に上記のような寸法関係を満足させることにより、遊技板１２上を転動する遊技球Ｂが貫通孔２１に引っ掛かりが生じて転動が阻害されるのを防止することができる。したがって、遊技店においては、従来の遊技盤と同程度に釘調整を行なうことができるので、扱い易く好都合である。
【００３２】
一般に、パチンコ機においては、遊技球Ｂが釘１４間に引っ掛かるのを防止するため、ゲージを用いて釘調整することが行なわれる。その釘調整に際して、柱部２２、２４の長さ方向と直交する方向に釘１４ａ乃至ｄの頭部を叩打する必要が有る場合、柱部２２、２４が変形して、調整が困難となり、また、柱部２２、２４が破損する可能性がある。
【００３３】
その場合、図９あるいは図１０（Ｉ）、（II）に示す調整冶具３０を用いて釘調整する。ここで、図９に示す調整冶具３０においては、棒状の冶具本体３１の先端部に凹部２１に略ぴったりと嵌り合う円弧状の突出部３２を設けた構成としている。この調整冶具３０を用いる釘調整に際しては、突出部３２を凹部２１に挿入し、柱部２２、２４の変形を抑制する状態において、金槌により釘１４ｂの頭部を突出部３２に向けて叩打して釘調整する。
【００３４】
また、図１０（Ｉ）、（II）に示す調整冶具３０においては、握り部３３を端部に有する軸体３４の先端部に円弧状の支持板３５を設け、その支持板３５の両端部に凹部２１の外壁面２１aおよび内壁面２１ｂに沿う円弧状面３６a、３６ｂが内外に形成された一対の突出部３６を設けた構成としている。この調整冶具３０を用いる釘調整に際しては、突出部３６を凹部２１に挿入し、柱部２２、２４の変形を抑制する状態において、金槌により釘１４ｂの頭部を突出部３６に向けて叩打して釘調整する。
【００３５】
実施の形態においては、通路２０の入口に設けられた釘１４ａや２本の天釘１４ｂ、始動入賞装置１７の上方に設けられた２本の命釘１４ｃ、その命釘１４ｃの両サイドに位置するジャンプ釘１４ｄの周囲それぞれに貫通孔２１を形成するようにしたが、上記各種の釘の少なくとも１本を対象にして貫通孔２１を設けるようにしてもよい。また、貫通孔２１を形成する対象の釘は上記のものに限定されるものではなく、パチンコ機の機種に応じて疲労破壊し易い釘を対象にして貫通孔を設けるようにする。
【図面の簡単な説明】
【００３６】
【図１】この発明に係る遊技盤をセットしたパチンコ機の正面図
【図２】遊技板を示す正面図
【図３】図２の遊技板の上側一部を拡大して示す正面図
【図４】図２の遊技板の始動入賞装置部分を拡大して示す正面図
【図５】図３のV−V線に沿った断面図
【図６】図５の一部切欠斜視図
【図７】凹部の他の例を示す正面図
【図８】凹部のさらに他の例を示す正面図
【図９】釘調整時に使用する冶具を示す斜視図
【図１０】釘調整時に使用する調整冶具の他の例を示し、（Ｉ）は分解斜視図、（II）は使用状態の断面図
【符号の説明】
【００３７】
１０・・・遊技盤、１１・・・遊技領域、１２・・・遊技板、１３・・・ガイドレール、１４・・・釘、２１・・・貫通孔、２２・・・柱部、２３・・・薄肉厚部、２４・・・柱部
【図１】
2010029456.tif 000003
【図２】
2010029456.tif 000004
【図３】
2010029456.tif 000005
【図４】
2010029456.tif 000006
【図５】
2010029456.tif 000007
【図６】
2010029456.tif 000008
【図７】
2010029456.tif 000009
【図８】
2010029456.tif 000010
【図９】
2010029456.tif 000011
【図１０】
2010029456.tif 000012